(57)【要約】  【課題】電極板の患者への装着作業を容易化する。  【解決手段】電極板１の背面に，両面ファスナの雄部材１０が設けられる。連結用マット２１の一面側に両面ファスナの雌部材１１が設けられる。例えば２個の電極板１が，その雄部材１０を連結用マット２１の雌部材１１に係合させることにより，一体化されたセット体Ｓ１とされる。電極板を覆うカバーシート４１の背面に雄部材１０Ｂを設けて，カバーシート４１で覆われた複数の電極板を連結用マット２１によって連結，一体化することもできる。  連結用マット２１に代えて，両面側にほぼ全長に渡って雌部材１１が設けられた固定用ベルト３１を用いることもできる。固定用ベルト３１の一端部の一面側と他端部の他面側には，それぞれ雄部材１０が設けられる。【選択図】  図３
2006095079.tif 000002
【特許請求の範囲】
【請求項１】
それぞれ一面側に電極を有する複数の電極板と，
前記複数の電極板同士を相互に連結して一体化するための連結用マットと，
を有し，
両面ファスナの雄部材と雌部材との一方側部材が，前記各電極板の他面側に設けられ，
前記両面ファスナの雄部材と雌部材との他方側部材が，前記連結用マットの一面側に設けられている，
ことを特徴とする電気的刺激装置。
【請求項２】
請求項１において，
前記一方側部材が前記雄部材とされ，前記他方側部材が前記雌部材とされている，ことを特徴とする電気的刺激装置。
【請求項３】
一面側に電極を有する電極板と，
前記電極板を患者に固定するための固定用ベルトと，
を有し，
両面ファスナの雄部材と雌部材との一方側部材が，前記各電極板の他面側に設けられ，
前記両面ファスナの雄部材と雌部材との他方側部材が，前記固定用ベルトの両面に対してそれぞれそのほぼ全長に渡って設けられ，
前記固定用ベルトの一端部の一面側と他端部の他面側とにそれぞれ，前記両面ファスナの前記一方側部材が設けられている，
ことを特徴とする電気的刺激装置。
【請求項４】
請求項３において，
前記一方側部材が前記雄部材とされ，
前記他方側部材が前記雌部材とされている，
ことを特徴とする電気的刺激装置。
【請求項５】
請求項２または請求項４において，
ダミーシートの一面側に設けられた両面ファスナの雌部材が，前記電極板の他面側に設けられた前記雄部材に係合されている，ことを特徴とする電気的刺激装置。
【請求項６】
それぞれ一面側に電極を有する複数の電極板と，
一面側において前記電極を外部に露出させた状態で前記各電極板を個々独立してほぼ全体的に覆うための複数のカバーシートと，
それぞれ前記カバーシートで覆われた状態での前記複数の電極板同士を相互に連結して一体化するための連結用マットと，
を有し，
両面ファスナの雄部材と雌部材との一方側部材が，前記各カバーシートの他面側に設けられ，
前記両面ファスナの雄部材と雌部材との他方側部材が，前記連結用マットの一面側に設けられている，
ことを特徴とする電気的刺激装置。
【請求項７】
請求項６において，
前記一方側部材が前記雄部材とされ，前記他方側部材が前記雌部材とされている，ことを特徴とする電気的刺激装置。
【請求項８】
一面側に電極を有する電極板と
一面側において前記電極を外部に露出させた状態で前記電極板をほぼ全体的に覆うためのカバーシートと，
前記カバーシートで覆われた状態での前記電極板を患者に固定するための固定用ベルトと，
を有し，
両面ファスナの雄部材と雌部材との一方側部材が，前記カバーシートの他面側に設けられ，
前記両面ファスナの雄部材と雌部材との他方側部材が，前記固定用ベルトの両面に対してそれぞれそのほぼ全長に渡って設けられ，
前記固定用ベルトの一端部の一面側と他端部の他面側とにそれぞれ，前記両面ファスナの前記一方側部材が設けられている，
ことを特徴とする電気的刺激装置。
【請求項９】
請求項８において，
前記一方側部材が前記雄部材とされ，
前記他方側部材が前記雌部材とされている，
ことを特徴とする電気的刺激装置。
【請求項１０】
請求項７または請求項９において，
ダミーシートの一面側に設けられた両面ファスナの雌部材が，前記カバーシートの他面側に設けられた前記雄部材に係合されている，ことを特徴とする電気的刺激装置。
【請求項１１】
一面側に電極が設けられた電極板の他面側に，両面ファスナの雄部材が設けられている，ことを特徴とする電気的刺激装置における電極板。
【請求項１２】
請求項１１において，
ダミーシートの一面側に設けられた両面ファスナの雌部材が，前記雄部材に係合されている，ことを特徴とする電気的刺激装置における電極板。
【請求項１３】
一面側において電極を外部に露出させた状態で電極板をほぼ全体的に覆うための電気的刺激装置におけるカバーシートであって，
他面側に，両面ファスナの雄部材が設けられている，
ことを特徴とする電気的刺激装置における電極板用カバーシート。
【請求項１４】
請求項１３において，
ダミーシートの一面側に設けられた両面ファスナの雌部材が，前記雄部材に係合されている，ことを特徴とする電気的刺激装置における電極板用カバーシート。
【請求項１５】
一面側のほぼ全体に渡って両面ファスナの雌部材が設けられている，ことを特徴とする電気的刺激装置における電極板連結用マット。
【請求項１６】
電極板を患者に固定するための固定用ベルトであって，
両面ファスナの雌部材が，一面側と他面側との両面に対してそれぞれそのほぼ全長に渡って設けられ，
一端部の一面側と他端部の他面側とにそれぞれ，両面ファスナの雄部材が設けられている，
ことを特徴とする電気的刺激装置における電極板固定用ベルト。
【請求項１７】
請求項１６において，
前記一端部の他面側および他端部の一面側とにそれぞれ，両面ファスナの前記雄部材が設けられている，ことを特徴とする電気的刺激装置における電極板固定用ベルト。
【発明の詳細な説明】
【技術分野】
【０００１】
本発明は，低周波治療器等の電気的刺激装置およびその電極板，電極板用カバーシート，電極板連結用マットおよび電極板固定用ベルトに関するものである。
【背景技術】
【０００２】
低周波治療器等の電気的刺激装置においては，電極板が，その一面側に設けられた電極が患者体表面に向いた状態となるように治療部位に装着されることになる。電極板としては，特許文献１に示すように，例えば背中の広い範囲に渡って同時に多くの電極を接触させることのできるように，大きな面積を有する１つの保持板に多くの電極を装着したものもある。
【０００３】
治療部位が例えば肩や腕等の狭い範囲である場合は，少数の電極を有すれば十分であり，その分電極板が小型化される。この一方，例えば背中を全体的に治療する場合などは，上記特許文献１に示すように電極板として多数の電極を有する大型のものが用いられる。
【特許文献１】特開２００３−３３９８８６号公報
【発明の開示】
【発明が解決しようとする課題】
【０００４】
患者に装着された電極板は，通常，重しマットや固定用ベルトによって所定位置からずれないように患者に固定されるが，この電極板を患者の所定位置に固定するまでの作業にかなりの手間を要する場合が多々生じる。特に，電極板が重力により落下するような位置に装着するときの手間が面倒となる。より具体的には，例えば座位にある患者の背中に固定用ベルトを利用して電極板を装着する場合，介護者は，電極板を片方の手で患者体表面の所定位置に押さえつけつつ，固定用ベルトを他方の手で患者に巻回するような作業を行う必要がある。
【０００５】
一方，最近では，少数の電極を有する小型の電極板を複数並列配置する等により，大型の電極板を用いることなく広い範囲の治療部位に対応できるようにすることが行われるようになっている。この場合，複数の電極板が個々独立しているので，１つの電極板を装着する場合に比して装着作業が極めて面倒となる。
【０００６】
本発明は以上のような事情を勘案してなされたもので、その第１の目的は、電極板の患者への装着をより容易に行えるようにした電気的刺激装置を提供することにある。
本発明の第２の目的は，上記第１の目的を達成するために用いることのできる電気的刺激装置における電極板，電極板用カバーシート，電極板連結用マットおよび電極板固定用ベルトを提供することにある。
【課題を解決するための手段】
【０００７】
前記第１の目的を達成するため、本発明はその第１の解決手法として次のようにしてある。すなわち，特許請求の範囲における請求項１に記載のように，
それぞれ一面側に電極を有する複数の電極板と，
前記複数の電極板同士を相互に連結して一体化するための連結用マットと，
を有し，
両面ファスナの雄部材と雌部材との一方側部材が，前記各電極板の他面側に設けられ，
前記両面ファスナの雄部材と雌部材との他方側部材が，前記連結用マットの一面側に設けられている，
ようにしてある。上記解決手法によれば，複数の電極板を患者体表面に装着する場合，連結用マットによってあらかじめ複数の電極板を連結，一体化しておくことによりあたかも１つの電極板のように取り扱うことを可能として，複数の電極板を装着する作業が容易となる。また，複数の電極板同士の連結および連結解除は，両面ファスナの雄部材と雌部材との係合，係合解除を行えばよいので，極めて簡単である。
【０００８】
上記第１の解決手法を前提とした好ましい態様は，請求項２および後述する請求項５に記載のとおりである。すなわち，
前記一方側部材が前記雄部材とされ，前記他方側部材が前記雌部材とされている，ようにすることができる（請求項２対応）。この場合、雄部材に比して感触のよくなる雌部材を，広い面積範囲に渡って装着される連結用マット側に設けておくことにより，連結用マットの手触りを極力良好にしておく上で好ましいものとなる。
【０００９】
前記第１の目的を達成するため、本発明はその第２の解決手法として次のようにしてある。すなわち，特許請求の範囲における請求項３に記載のように，
一面側に電極を有する電極板と，
前記電極板を患者に固定するための固定用ベルトと，
を有し，
両面ファスナの雄部材と雌部材との一方側部材が，前記各電極板の他面側に設けられ，
前記両面ファスナの雄部材と雌部材との他方側部材が，前記固定用ベルトの両面に対してそれぞれそのほぼ全長に渡って設けられ，
前記固定用ベルトの一端部の一面側と他端部の他面側とにそれぞれ，前記両面ファスナの前記一方側部材が設けられている，
ようにしてある。
【００１０】
上記解決手法によれば，１つあるいは複数の電極板を，両面ファスナを利用してあらかじめ固定用ベルトに装着して連結，一体化しておくことにより，電極板から手を離した状態で固定用ベルトを患者に巻回させることが可能となり，電極板の装着作業が容易となる。勿論，電極板の固定用ベルトに対する連結，連結解除は，両面ファスナの雄部材と雌部材との係合，係合解除を行えばよいので，極めて簡単である。また，固定用ベルトは，その一端部あるいは他端部に設けた雄部材を，固定用ベルトの任意の長さ位置でもって雌部材に係合させることにより，所望巻回長さの状態でもって締結することができる。ちなみに，従来は，固定用ベルトの一端部の一面側にのみ両面ファスナの雄部材が設けられる一方，固定用ベルトの他面側にのみそのほぼ全長に渡って雌部材が設けられているだけなので，一端部に設けた雄部材を雌部材に係合させて締結完了させるには，必ず雄部材の位置する一端部に至るまでの長さ部分が弛まないようにあまった長さ分を余分に巻回させる手間が必要があったが，本発明ではこのような余分な巻回を行うことなく，締結完了することができる。
【００１１】
上記解決手法を前提とした好ましい態様は、特許請求の範囲における請求項４および後述する請求項５に記載のとおりである。すなわち，
前記一方側部材が前記雄部材とされ，
前記他方側部材が前記雌部材とされている，
ようにすることができる（請求項４対応）。この場合、雄部材に比して感触のよくなる雌部材を，広い面積範囲に渡って装着される固定用ベルト側に設けておくことにより，固定用ベルトの手触りや患者に巻回したときの感触を極力良好にしておく上で好ましいものとなる。
【００１２】
前記第１の目的を達成するため、本発明はその第３の解決手法として次のようにしてある。すなわち，特許請求の範囲における請求項６に記載のように，
それぞれ一面側に電極を有する複数の電極板と，
一面側において前記電極を外部に露出させた状態で前記各電極板を個々独立してほぼ全体的に覆うためのカバーシートと，
前記カバーシートで覆われた状態での複数の電極板同士を相互に連結して一体化するための連結用マットと，
を有し，
両面ファスナの雄部材と雌部材との一方側部材が，前記各カバーシートの他面側に設けられ，
前記両面ファスナの雄部材と雌部材との他方側部材が，前記連結用マットの一面側に設けられている，
ようにしてある。上記解決手法によれば，電極板を覆うカバーシートを利用して，複数の電極板を連結用マットを利用して連結，一体化して，請求項１に対応した効果と同様の効果を得ることができる。
【００１３】
上記解決手法を前提とした好ましい態様は、特許請求の範囲における請求項７および後述する請求項１０に記載のとおりである。すなわち，
前記一方側部材が前記雄部材とされ，前記他方側部材が前記雌部材とされている，ようにすることができる（請求項７対応）。この場合、請求項２に対応した効果と同様の効果を得ることができる。
【００１４】
前記第１の目的を達成するため、本発明はその第４の解決手法として次のようにしてある。すなわち，特許請求の範囲における請求項８に記載のように，
一面側に電極を有する電極板と
一面側において前記電極を外部に露出させた状態で前記電極板をほぼ全体的に覆うためのカバーシートと，
前記カバーシートで覆われた状態での前記電極板を患者に固定するための固定用ベルトと，
を有し，
両面ファスナの雄部材と雌部材との一方側部材が，前記カバーシートの他面側に設けられ，
前記両面ファスナの雄部材と雌部材との他方側部材が，前記固定用ベルトの両面に対してそれぞれそのほぼ全長に渡って設けられ，
前記固定用ベルトの一端部の一面側と他端部の他面側とにそれぞれ，前記両面ファスナの前記一方側部材が設けられている，
ようにしてある。上記解決手法によれば，電極板をそのカバーシートを利用して固定用ベルトにあらかじめ連結，一体化しておくことにより，請求項３と同様の効果を得ることができる。
【００１５】
上記解決手法を前提とした好ましい態様は、特許請求の範囲における請求項９および後述する請求項１０に記載のとおりである。すなわち，
前記一方側部材が前記雄部材とされ，
前記他方側部材が前記雌部材とされている，
ようにすることができる（請求項９対応）。この場合、請求項４に対応した効果と同様の効果を得ることができる。
【００１６】
前記第２の目的を達成するため、本発明における電極板にあっては，次のようなの解決手法を採択してある。すなわち，特許請求の範囲における請求項１１に記載のように，
一面側に電極が設けられた電極板の他面側に，両面ファスナの雄部材が設けられている，ようにしてある。上記解決手法によれば，請求項１の発明をより具体化した請求項２に記載の電気的刺激装置，および請求項３の発明をより具体化した請求項４に記載の電気的刺激装置に用いられる電極板が提供される。上記解決手法を前提とした好ましい態様は、後述する請求項１２に記載のとおりである。
【００１７】
前記第２の目的を達成するため、本発明における電極板用カバーシートにあっては，次のようなの解決手法を採択してある。すなわち，特許請求の範囲における請求項１３に記載のように，
一面側において電極を外部に露出させた状態で電極板をほぼ全体的に覆うための電気的刺激装置におけるカバーシートであって，
他面側に，両面ファスナの雄部材が設けられている，
ようにしてある。上記解決手法によれば，請求項６の発明をより具体化した請求項７に記載の電気的刺激装置における電極板用カバーシート，および請求項８の発明をより具体化した請求項９に記載の電気的刺激装置に用いられる電極板用カバーシートが提供される。上記解決手法を前提とした好ましい態様は、後述する請求項１４に記載のとおりである。
【００１８】
前記第２の目的を達成するため、本発明における電極板連結用マットにあっては，次のようなの解決手法を採択してある。すなわち，特許請求の範囲における請求項１５に記載のように，
一面側のほぼ全体に渡って両面ファスナの雌部材が設けられている，ようにしてある。上記解決手法によれば，請求項１の発明をより具体化した請求項２に記載の電気的刺激装置における電極板連結用マット，および請求項６の発明をより具体化した請求項７に記載の電気的刺激装置に用いられる電極板連結用マットが提供される。
【００１９】
前記第２の目的を達成するため、本発明における電極板固定用ベルトにあっては，次のようなの解決手法を採択してある。すなわち，特許請求の範囲における請求項１６に記載のように，
電極板を患者に固定するための固定用ベルトであって，
両面ファスナの雌部材が，一面側と他面側との両面に対してそれぞれそのほぼ全長に渡って設けられ，
一端部の一面側と他端部の他面側とにそれぞれ，両面ファスナの雄部材が設けられている，
ようにしてある。上記解決手法によれば，請求項３の発明をより具体化した請求項４に記載の電気的刺激装置における電極板固定用ベルト，および請求項８の発明をより具体化した請求項９に記載の電気的刺激装置に用いられる電極板固定用ベルトが提供される。とりわけ，巻回すべき長さの相違に対応した長さでもって，余分な巻回を行うことなく締結状態を得ることができる。勿論，そのほぼ全長に渡って設けられる雌部材は，手触りがよいので，固定用ベルトを患者に巻回したときの感触の点でもなんら問題のないものとなる。
【００２０】
上記解決手法を前提とした好ましい態様は、特許請求の範囲における請求項１７に記載のとおりである。すなわち，
前記固定用ベルトの一端部の他面側および他端部の一面側とにそれぞれ，両面ファスナの前記雄部材が設けられている，ようにすることができる（請求項１７対応）。この場合、固定用ベルトを裏表区別することなく全く同じように使用することができる。
【００２１】
請求項５，請求項１０，請求項１２，請求項１４に記載の発明にあっては，両面ファスナのうち突起状であるために手触りの悪い雄部材を，使用しないときにダミーシートで覆って，その手触りの悪さの解消や使用していないときの雄部材の汚損防止を図ることができる。
【発明の効果】
【００２２】
本発明によれば，電極板の患者への装着を容易に行うことが可能となる。
【発明を実施するための最良の形態】
【００２３】
図１〜図３において，１は電極板で，薄いマット状とされた本体２と，該本体２の一面側に設けられた複数の電極３とを有する。本体２は，防水性のシート材によってその外殻が構成されて，内部にヒータ等が配設されている。電極３は，本体２の一面側から若干突出するようにされて，その周縁部が本体２（の外殻を構成するシート材）に液密となるように接合（接着や融着）されている。本体２の他面側，つまり電極３とは反対側面には，両面ファスナの雄部材１０が一体化されている。
【００２４】
図４〜図６において，２１は連結用マットであり，前述した電極板１を複数連結して一体化させるためのものである。この連結用マット２１は，実施形態では全体的に方形とされて，その一面側にはそのほぼ全面に渡って両面ファスナの雌部材１１が一体化されている。連結用マット２１の大きさや形状は適宜設定できるが，連結される電極板１の大きさと個数および複数の電極板１の配置等に応じた大きさおよび形状に設定すればよい。実施形態では，後述するように，２つの電極板１を若干離間させて並列に連結する場合に適した大きさおよび形状とされている。
【００２５】
連結用マット２１は，例えば軟質プラスチックを防水シートで被覆することにより全体的に可撓性を有するように構成することができるが，例えば内部に薄い硬質プラスチック板等を挿入して，大きな外力が作用しないときは図４〜図６に示すような初期形状を確実に保持しつつ，３次元的に湾曲できるような硬さに設定しておくこともできる。すなわち，連結用マット２１は，ほぼ患者体表面に沿って変形し得るように３次元的に湾曲（変形）可能であるが，連結される電極板１の間隔の変更防止のために伸び縮みさらには極力小さいものとして形成されている。
【００２６】
次に，前述した電極板１と連結用マット２１との使用方法について説明する。まず，電極板１そのものは，１個のみでも使用可能であり，この場合は，連結用マット２１は使用されない。電極板１を，例えば患者の背中に２個並列に配置する場合を考える。このときは，図７〜図９に示すように，２個の電極板１を，電極３が同一面側に位置するようにして，若干間隔をあけて並列配置し，この状態で，２つの電極板１の他面側にある両面ファスナの雄部材１０に対して，連結用マット２１の一面側に設けられている両面ファスナの雌部材１１を係合させる。これにより，２個の電極板１は，連結用マット２１によって所定の配置関係でもって連結，一体化されたセット体Ｓ１が構成されることになる。
【００２７】
上記連結，一体化されたセット体Ｓ１の状態で，電極３が患者体表面側に位置するようにして患者の背中に装着すればよい。患者の上半身に衣類が着用されているときは，患者の腰付近から衣類と患者との間に上記セット体Ｓ１を挿入して上方へずらしていくことにより，背中の所定位置にセット体Ｓ１（電極３）が位置されることになる。このように，２個の電極板１は，連結用マット２１を利用したセット体Ｓ１として，あたかも１つの電極板のように取り扱うことができるので，複数の電極板１を患者へ装着する作業が容易となる。なお，電極板１の装着部位は，背中に限らず，例えば患者の腕や脚部を挟むように２個の電極板１を配設する場合等，適宜の部位にも同様にセット体Ｓ１の状態で使用することができる。勿論，互いに連結，一体化される電極板１の個数は３個以上であってもよく，これに応じた大きさ，形状の連結用マット２１を用いればよい。
【００２８】
ここで，両面ファスナの雄部材１０と雌部材１１とは，例えば「マジックテープ（登録商標）」等の名称でよく知られているが，雄部材は突起状であってざらざら感があって比較的手触り等の感触が悪い一方，雌部材はループ形状等であって比較的滑らかな感触が得られる。したがって，両面ファスナのうち，手指や患者の皮膚に接触される部分は，雌部材１１となるように設定しておくのが好ましいものである。この意味において，両面ファスナが大きな面積でもって設けられる連結用マット２１側に雌部材１１を設けておくのが好ましい。なお，電極板１に設けられた雄部材１０は，使用されないときは，後述するダミーシートで覆っておくようにすることができる。
【００２９】
図１０〜図１２は，前述した電極板１と共に使用して好ましい固定用ベルト３１を示すものである。固定用ベルト３１は，例えば患者の肩から背中にかけてたすき掛けで用いることもできるように，かなり長い物となっている（例えば１．５ｍ〜２ｍ）。この固定用ベルト３１は，全体的に可撓性を有するようにされているが，その一端部一面側と他端部他面側とにはそれぞれ，両面ファスナの雄部材１０が一体化されている。また，固定用ベルト３１の一面側と他面側との両方の面には，ほぼ全長に渡って両面ファスナの雌部材１１が一体化されている。この雌部材１１は，各端部にある雄部材１０の間に位置されている。
【００３０】
上記固定用ベルト３１を使用して電極板１を患者に装着するには，まず，図１３に示すように，固定用ベルト３１の適宜の長さ位置において，その雌部材１１に対して電極板１の雄部材１０を押しつけて，電極板１を固定用ベルト３１に対して連結，一体化してなるセット体Ｓ２を得る。このセット体Ｓ２の状態で，電極板１の電極３を図１５に示すように患者Ｋの腕や脚部等に装着する。このとき，患者体表面に近い位置にある一端部の雄部材１０が，患者体表面とは反対側を向くようにセットされる。そして，固定用ベルト３１を腕や脚部に巻回させて，最終的に，固定用ベルト３１の雄部材１０をその雌部材１１に係合させて，締結完了とすればよい。
【００３１】
図１５から明らかなように，固定用ベルト３１の全長は，巻回される患者Ｋの治療部位よりもかなり長いものとなっている。しかしながら，このときは，長い余分な部分をそのままにして，矢印αで示すように患者Ｋに近い側の一方の雄部材１０を固定用ベルト３１の雌部材１１に係合させることにより，余分な長い部分をこれ以上巻回させることなく，固定用ベルト３１による締結を行うことが可能になる。これに対して，従来の一端部のみに雄部材１０を有すると共に，雄部材とは反対側の面にのみ雌部材１１を設けていた従来の固定用ベルトでは，上記あまった長い部分を矢印βで示すように治療部位に対して余分に巻回させて締結完了させる必要があった。このように，本発明による固定用ベルト３１は，任意の長さ範囲でもって締結完了を得ることが可能となっている。なお，固定用ベルト３１の両端部において，その一面側と他面側との両方の面にそれぞれ雄部材１０を一体化しておくことにより（図１２一点鎖線参照），固定用ベルト３１を裏表の区別なく全く同様に使用することができる。
【００３２】
図１６〜図２０は，電極板１を覆うカバーシート４１を示す。このカバーシート４１は，全体的に防水性のシート材で形成されて，実施形態では，表側シート４２と裏側シート４３とがその側縁部で一体となっている。すなわち，１枚のシート材を展開した状態で，その左右いずれか一方を表側シート４２とし，他方を裏側シート４３としてある。表側シート４２には，電極板１の電極３を露出させるための開口部４４が複数形成されている。このようなカバーシート４１は，表側シート４２と裏側シート４３との間に電極板１を挟んだ状態で，裏側シート４３を表側シート４２上に重なるように折り返すことにより，電極板１を覆うものとなっており，電極板１を覆った状態の維持を両面ファスナを利用して維持するようにしてある。
【００３３】
ここで，各シート４２，４３のうち，電極板１を覆ったときに電極板１に対向する（臨む）側の面を内側面と称し，外部に露出する側の外側面と称して，さらに詳細に説明する。まず，表側シート４２には，外方へ突出された複数の舌片部４５が形成されており，この各舌片部４５の内側面には，両面ファスナの雄部材１０Ａが一体化されている。また，裏側シート４３の裏面側には，上記雄部材１０Ａに対応させて雌部材１１が一体化されている。また，裏側シート４３の外側面には，両面ファスナの雄部材１０Ｂ（電極板１の雄部材１０に相当）が一体化されている。
【００３４】
上記カバーシート４１は，次のようにして使用される。まず，図１６の展開状態において，表側シート４２の開口部４４内に電極３が位置するようにして，電極板１が表側シート４２側に載置される。この状態で，裏側シート４３を，表側シート４２上の電極板１に重なるように折り返す（図２０の状態）。この後，舌片部４５を折り返して，舌片部４５に設けた雄部材１０Ａを裏側シート４３の雌部材１１に係合させる。これにより，電極板１が各シート４２と４３との間に挟まれたカバー状態が完了する。
【００３５】
電極板１をカバーシート４１で覆った状態では，カバーシート４１の裏面側に一体化された雄部材１０Ｂが，電極板１に一体化された雄部材１０と同様の機能を果たすことになる。すなわち，このカバーシート４１の裏面側に設けた雄部材１０を，連結用マット２１や固定用ベルト３１の雌部材１１に係合させて，患者に対してカバーシート４１付きの電極板１を装着すればよい。例えば連結用マット２１を用いることなく電極板１単独でのみ使用するときも，カバーシート５１で覆った状態で使用するのが，電極板１の汚損を防止する上で好ましいものとなる。すなわち，使用によって汚損される対象を，洗浄が容易でかつ安価に交換できるカバーシート５１として，電極板１が汚損されにくくするのが好ましい。なお，カバーシート４１を用いるときは，電極板１としては雄部材１０を有しない従来のものをそのまま用いることができる。
【００３６】
電極板１の雄部材１０やカバーシート４１の雄部材１０Ｂは，使用しないときは，図２１に示すダミーシート５１で覆っておくのが好ましい。ダミーシート５１は，覆うべき雄部材１０とほぼ同一の形状（大きさ）に設定された防水性の本体シート５２と，本体シート５２の一面側に設けた両面ファスナの雌部材１１とからなる。ダミーシート５１の雌部材１１を，電極板１の雄部材１０に係合させることにより，電極板１の雄部材１０がダミーシート５１で覆われて，その汚損が防止され，また雄部材１０が不用意に患者体表面に触れてしまう事態が防止される。
【００３７】
以上実施形態について説明したが、本発明は、実施形態に限定されるものではなく、特許請求の範囲の記載された範囲において適宜の変更が可能であり、例えば実施形態で示す雄部材１０（１０Ａ，１０Ｂ）に代えて雌部材１１を用いてもよい（実施形態で用いた雌部材１１に代えて雄部材１０が用いられる）。カバーシート５１は，例えば袋状とされて，その一旦開口部から電極板１を出し入れする構成にする等，適宜の構成とすることができる。電極板１としては，電極３の数が１，３あるいは５以上のものであってもよく，またその形状は，正方形や６角形等適宜の形状に設定できる。勿論、本発明の目的は、明記されたものに限らず、実質的に好ましいあるいは利点として表現されたものを提供することをも暗黙的に含むものである。
【図面の簡単な説明】
【００３８】
【図１】電極板の一例を示す平面図。
【図２】図１の背面図。
【図３】図１の側面図。
【図４】連結用マットの一例を示す平面図。
【図５】図４の背面図。
【図６】図４の側面図。
【図７】連結用マットによって２つの電極板を連結，一体化して正面図。
【図８】図７の背面図。
【図９】図７の側面図。
【図１０】固定用ベルトの平面図。
【図１１】図１０の背面図。
【図１２】図１０の側面図。
【図１３】固定用ベルトに電極板を連結，一体化した状態を示す正面図。
【図１４】図１３の側面図。
【図１５】固定用ベルトを利用して電極板を患者に装着している途中の状態を示す簡略断面図。
【図１６】カバーシートの一例を示すもので，展開した状態での平面図。
【図１７】図１６の背面図。
【図１８】図１６のＸ１８−Ｘ１８線相当断面図。
【図１９】図１６のＸ１９−Ｘ１９線相当断面図。
【図２０】図１６の状態から裏側シートを表側シート側に折り返した状態を示す平面図。
【図２１】ダミーシートの一例を示す斜視図。
【符号の説明】
【００３９】
１：電極板
３：電極
１０：雄部材
１０Ｂ：雄部材
１１：雌部材
２１：連結用マット
３１：固定用ベルト
４１：カバーシート
５１：ダミーシート
【図１】
2006095079.tif 000003
【図２】
2006095079.tif 000004
【図３】
2006095079.tif 000005
【図４】
2006095079.tif 000006
【図５】
2006095079.tif 000007
【図６】
2006095079.tif 000008
【図７】
2006095079.tif 000009
【図８】
2006095079.tif 000010
【図９】
2006095079.tif 000011
【図１０】
2006095079.tif 000012
【図１１】
2006095079.tif 000013
【図１２】
2006095079.tif 000014
【図１３】
2006095079.tif 000015
【図１４】
2006095079.tif 000016
【図１５】
2006095079.tif 000017
【図１６】
2006095079.tif 000018
【図１７】
2006095079.tif 000019
【図１８】
2006095079.tif 000020
【図１９】
2006095079.tif 000021
【図２０】
2006095079.tif 000022
【図２１】
2006095079.tif 000023